(57)【要約】    【課題】      任意のタイプのＲＦＩＤ印字用紙３に応じてＲＦＩＤデータ書込み読取り部２１を入れ替え可能としたＲＦＩＤ印字用紙用プリンターを提供すること。    【解決手段】  ＲＦＩＤデータ書込み読取り部２１をカセット化ないしモジュール化してプリンター本体に入れ替え可能とすることに着目したもので、ＲＦＩＤ印字用紙３にデータ書込みあるいは読取りを行うＲＦＩＤデータ書込み読取り部２１と、ＲＦＩＤ印字用紙３に印字を行う印字部１３と、を有するＲＦＩＤ印字用紙用プリンターであって、ＲＦＩＤデータ書込み読取り部２１をカセット化するとともに、このＲＦＩＤデータ書込み読取り部２１を着脱可能に取り付け可能とするカセット取付け部２２をＲＦＩＤ印字用紙３の印字用紙移送路１０に設けたことを特徴とする。【選択図】        図１                            
2005141098.tif 000002
【特許請求の範囲】
【請求項１】
ＲＦＩＤ印字用紙にデータ書込みあるいは読取りを行うＲＦＩＤデータ書込み読取り部と、
前記ＲＦＩＤ印字用紙に印字を行う印字部と、を有するＲＦＩＤ印字用紙用プリンターであって、
前記ＲＦＩＤデータ書込み読取り部をカセット化するとともに、
このＲＦＩＤデータ書込み読取り部を着脱可能に取り付け可能とするカセット取付け部を前記ＲＦＩＤ印字用紙の印字用紙移送路に設けたことを特徴とするＲＦＩＤ印字用紙用プリンター。
【請求項２】
前記カセット取付け部を前記印字部の上流側に設けたことを特徴とする請求項１記載のＲＦＩＤ印字用紙用プリンター。
【請求項３】
前記カセット取付け部を前記印字部の下流側に設けたことを特徴とする請求項１記載のＲＦＩＤ印字用紙用プリンター。
【請求項４】
前記ＲＦＩＤデータ書込み読取り部のアンテナの交信領域の上流側で前記ＲＦＩＤ印字用紙を一時的に停止させ、この交信領域での前記ＲＦＩＤ印字用紙とのデータ交信を保証可能とすることを特徴とする請求項１記載のＲＦＩＤ印字用紙用プリンター。
【請求項５】
前記ＲＦＩＤデータ書込み読取り部は、アダプターを介して前記カセット取付け部にこれを着脱可能とすることを特徴とする請求項１記載のＲＦＩＤ印字用紙用プリンター。
【発明の詳細な説明】
【技術分野】
【０００１】
本発明はＲＦＩＤ印字用紙用プリンターにかかるもので、とくにＲＦＩＤ印字用紙（非接触でデータ読取り書込み可能なＩＣチップを搭載したラベルやタグなどの印字用紙）に印字するためのＲＦＩＤ印字用紙用プリンターに関するものである。
【背景技術】
【０００２】
従来から、帯状の台紙に複数枚のラベルを仮着して所定移送路を移送し、印字部においてラベルに印字を行う各種のラベルプリンターが開発されている。
また、非接触でデータ読取り書込み可能なＩＣチップを搭載したラベル、すなわち、ＲＦＩＤ（Ｒａｄｉｏ  Ｆｒｅｑｕｅｎｃｙ  Ｉｄｅｎｔｉｆｉｃａｔｉｏｎ）ラベルと呼ばれるラベルでは、そのＩＣチップ内に電子的にデータを書き込み、および読み取ることができる。
図５は、従来のＲＦＩＤラベル連続体１（ＲＦＩＤ印字用紙連続体）を示す平面図であって、ＲＦＩＤラベル連続体１は、帯状の台紙２と、この台紙２に仮着した複数枚のＲＦＩＤラベル３（ＲＦＩＤ印字用紙）と、を有する。
ＲＦＩＤラベル３は、ラベル本体４と、このラベル本体４に組み込んだＩＣチップ５と、アンテナ６と、を有する。なお台紙２の裏面には、位置検出用マーク７をあらかじめ印刷してある。
【０００３】
図６は、従来のＲＦＩＤラベル用プリンター８（ＲＦＩＤ印字用紙用プリンター）の概略側面図であって、ＲＦＩＤラベル用プリンター８は、ラベル供給部９（印字用紙供給部）と、ラベル移送路１０（印字用紙移送路）と、ラベル位置検出部１１（印字用紙位置検出部）と、ＲＦＩＤデータ書込み読取り部１２と、印字部１３と、制御部１４と、を有する。
【０００４】
ラベル供給部９は、ＲＦＩＤラベル連続体１をロール状に巻いて保持し、ラベル移送路１０に帯状に繰り出し可能とする。
【０００５】
ラベル移送路１０は、帯状に繰り出されたＲＦＩＤラベル連続体１を移送する領域であって、制御部１４によるラベル位置検出部１１、ＲＦＩＤデータ書込み読取り部１２および印字部１３の各種の処理を実行可能とする。
【０００６】
ラベル位置検出部１１は、たとえば光反射型センサーなどによりＲＦＩＤラベル連続体１（台紙２）の裏面の位置検出用マーク７を検出して、ＲＦＩＤラベル３の位置を検出する。
【０００７】
ＲＦＩＤデータ書込み読取り部１２は、コントローラー１５およびアンテナ１６を有し、媒体に電波を用いて、アンテナ１６を介してＲＦＩＤラベル連続体１（ＲＦＩＤラベル３）のＩＣチップ５に所定の情報（ＲＦＩＤデータ）を書き込む処理、およびＩＣチップ５に書込まれている所定の情報（ＲＦＩＤデータ）を読み取ることができる。
【０００８】
印字部１３は、サーマルヘッド１７およびプラテンローラー１８を有し、プラテンローラー１８の回転駆動によりＲＦＩＤラベル連続体１をラベル移送路１０上に移送するとともに、サーマルヘッド１７によりＲＦＩＤラベル３（ラベル本体４）の表面に所定の印字データを印字する。
【０００９】
この印字されたＲＦＩＤラベル連続体１は、ラベル移送路１０における印字部１３の下流側に位置したラベル剥離部あるいはカッター（図示せず）などによって、ＲＦＩＤラベル３の剥離処理あるいは切断処理を施される。
【００１０】
制御部１４は、ラベル位置検出部１１、ＲＦＩＤデータ書込み読取り部１２および印字部１３の各種の処理を制御するとともに、ＲＦＩＤデータ書込み読取り部１２によるデータ書込みあるいは読取り処理に対応したＲＦＩＤデータの外部制御機器（図示せず）とのデータ通信も行う。
【００１１】
こうした構成のＲＦＩＤラベル用プリンター８において、とくにＲＦＩＤデータ書込み読取り部１２におけるデータ書込みあるいは読取り処理の際にＲＦＩＤラベル３の種類ないしタイプに対応したデータ処理が必要となる。
すなわち、ＲＦＩＤラベル３についてデータ書込みおよび読取りする方式には、電磁結合方式、電磁誘導方式、マイクロ波方式および光方式などがあるが、それぞれの方式に応じてＲＦＩＤラベル３のＩＣチップ５およびアンテナ６、ならびにＲＦＩＤデータ書込み読取り部１２のコントローラー１５およびアンテナ１６の具体的構成が異なるとともに、さらに、それぞれの方式において使用する電波の周波数が異なり、たとえば１３５ＫＨｚ、１３．５６ＭＨｚ、８６０〜９３０ＭＨｚ、２．４５ＧＨｚおよび５．８ＧＨｚなどがあって、これらの各種方式および周波数に応じてＩＣチップ５およびアンテナ６の特性ないし構成、さらにはコントローラー１５およびアンテナ１６の特性ないし構成が異なることになる。
したがって、種類が異なるＲＦＩＤラベル３ごとに使用するＲＦＩＤラベル用プリンター８を準備する必要があるという問題がある。
【００１２】
なお、ＲＦＩＤ印字用紙としては、上述のラベル（ＲＦＩＤラベル３）の形態以外にも、下げ札などのタグその他の形態の印字用紙にも上述と同様の問題がある。
【００１３】
【特許文献１】特開２００３−１３２３３０号公報
【発明の開示】
【発明が解決しようとする課題】
【００１４】
本発明は以上のような諸問題にかんがみなされたもので、種類が異なるＲＦＩＤ印字用紙にもそれぞれデータ交信が可能なＲＦＩＤ印字用紙用プリンターを提供することを課題とする。
【００１５】
また本発明は、任意のＲＦＩＤ印字用紙を装填した場合であっても、そのＲＦＩＤ印字用紙に対応したＲＦＩＤデータ書込み読取り部の部分を装填可能としたＲＦＩＤ印字用紙用プリンターを提供することを課題とする。
【００１６】
また本発明は、任意のＲＦＩＤ印字用紙に応じてＲＦＩＤデータ書込み読取り部を入れ替え可能としたＲＦＩＤ印字用紙用プリンターを提供することを課題とする。
【課題を解決するための手段】
【００１７】
すなわち本発明は、ＲＦＩＤデータ書込み読取り部をカセット化ないしモジュール化してプリンター本体に入れ替え可能とすることに着目したもので、ＲＦＩＤ印字用紙にデータ書込みあるいは読取りを行うＲＦＩＤデータ書込み読取り部と、上記ＲＦＩＤ印字用紙に印字を行う印字部と、を有するＲＦＩＤ印字用紙用プリンターであって、上記ＲＦＩＤデータ書込み読取り部をカセット化するとともに、このＲＦＩＤデータ書込み読取り部を着脱可能に取り付け可能とするカセット取付け部を上記ＲＦＩＤ印字用紙の印字用紙移送路に設けたことを特徴とするＲＦＩＤ印字用紙用プリンターである。
【００１８】
上記カセット取付け部を上記印字部の上流側に設けることができる。
【００１９】
上記カセット取付け部を上記印字部の下流側に設けることができる。
【００２０】
上記ＲＦＩＤデータ書込み読取り部のアンテナの交信領域の上流側で上記ＲＦＩＤ印字用紙を一時的に停止させ、この交信領域での上記ＲＦＩＤ印字用紙とのデータ交信を保証可能とすることができる。
【００２１】
上記ＲＦＩＤデータ書込み読取り部は、アダプターを介して上記カセット取付け部にこれを着脱可能とすることができる。
【００２２】
上記ＲＦＩＤデータ書込み読取り部と上記カセット取付け部との間の機械的および電気的な接続構造は、任意のものを採用することができる。
【発明の効果】
【００２３】
本発明によるＲＦＩＤ印字用紙用プリンターにおいては、ＲＦＩＤデータ書込み読取り部をカセット化してＲＦＩＤ印字用紙に応じて入れ替え可能とするようにしたので、任意のタイプのＲＦＩＤ印字用紙を装填した場合であっても、このＲＦＩＤ印字用紙に応じたコントローラーおよびアンテナを有するＲＦＩＤデータ書込み読取り部を装填することができるため、一台のＲＦＩＤ印字用紙用プリンターを複数種類のＲＦＩＤ印字用紙用として用いることができる。
【発明を実施するための最良の形態】
【００２４】
本発明は、任意のタイプのＲＦＩＤ印字用紙に応じたＲＦＩＤデータ書込み読取り部をカセット化して印字用紙移送路の任意の部位にセット可能としたので、複数種類のＲＦＩＤ印字用紙を装填しても、それぞれに対応して印字およびデータの書込み・読取りを可能とするＲＦＩＤ印字用紙用プリンターを実現した。
【実施例】
【００２５】
つぎに本発明の第１の実施例によるＲＦＩＤラベル用プリンター２０（ＲＦＩＤ印字用紙用プリンター）を図１ないし図３にもとづき説明する。ただし、図５および図６と同様の部分には同一符号を付し、その詳述はこれを省略する。
図１は、ＲＦＩＤラベル用プリンター２０の概略側面図であって、ＲＦＩＤラベル用プリンター２０は、前記ラベル供給部９、ラベル移送路１０、ラベル位置検出部１１、印字部１３および制御部１４を有するとともに、前記ＲＦＩＤデータ書込み読取り部１２をカセット化してＲＦＩＤデータ書込み読取り部２１とするとともに、このＲＦＩＤデータ書込み読取り部２１を着脱可能に取り付け可能なカセット取付け部２２を設けている。
【００２６】
ＲＦＩＤデータ書込み読取り部２１は、前記ＲＦＩＤデータ書込み読取り部１２と同様に、ＲＦＩＤラベル３との間にデータの送受信が可能なコントローラー１５およびアンテナ１６を有するとともに、その一体化した筐体によりカセット取付け部２２に機械的および電気的に着脱および接離可能である。また、制御部１４は、ＲＦＩＤデータ書込み読取り部２１を制御可能である。
【００２７】
なお、ＲＦＩＤデータ書込み読取り部２１とラベル移送路１０上のＲＦＩＤラベル３との間の適正な間隔（交信距離）は、それぞれの種類により１ｍｍ程度から５ｍ程度にまでに及ぶが、装填される可能性があるＲＦＩＤラベル３のタイプに応じて適宜設計しておくものとする。
【００２８】
カセット取付け部２２は、ＲＦＩＤデータ書込み読取り部２１との間の機械的および電気的接続を可能であって、アンテナ１６とＲＦＩＤラベル３（ＩＣチップ５）との交信を保証するものであれば、任意の構成を採用可能であるが、ＲＦＩＤラベル３のラベル移送路１０の任意の部位にこれを設ける。
たとえば、図１に示すように、カセット取付け部２２を印字部１３の上流側に設ければ、ＲＦＩＤラベル３（ＩＣチップ５）のＲＦＩＤデータをＲＦＩＤデータ書込み読取り部２１によって読み取ったのちに、このＲＦＩＤデータにもとづいて印字部１３における印字を行うように制御し、ＲＦＩＤデータのデータのうち所定の情報を視認可能としたり、あるいはバーコードなどを印字して機械的な読み取りを可能とすることができる。
【００２９】
こうした構成のＲＦＩＤラベル用プリンター２０において、装填している第１のタイプのＲＦＩＤラベル３を取り外し、第２のタイプのＲＦＩＤラベル３を装填した場合に、第１のタイプのＲＦＩＤラベル３に対応するカセット式のＲＦＩＤデータ書込み読取り部２１からこの第２のタイプのＲＦＩＤラベル３に対応するカセット式のＲＦＩＤデータ書込み読取り部２１に入れ替えればよいもので、ＲＦＩＤラベル用プリンター２０の他の構成はそのままで、カセット式のＲＦＩＤデータ書込み読取り部２１の交換作業のみで第２のタイプのＲＦＩＤラベル３のデータ書込みあるいは読取り、および印字を行うことができる。
すなわち、一台のＲＦＩＤラベル用プリンター２０で複数種類のＲＦＩＤラベル３に対応してデータ書込みあるいは読取り、および印字処理を行うことができる。
【００３０】
なお、第１のタイプのＲＦＩＤラベル３と、第２のタイプのＲＦＩＤラベル３とが移送方向のピッチが異なる場合、あるいは適正な移送速度が異なる場合などには、ＲＦＩＤラベル用プリンター２０のラベル移送路１０における移送制御を行うことにより、適正かつ確実なデータ交信を可能とする。
たとえば、図２は、ＲＦＩＤデータ書込み読取り部２１部分の概略拡大断面図であって、アンテナ１６の交信領域Ｍの上流側でＲＦＩＤラベル３を一時的に停止させ、交信領域Ｍに進入したときから出るまでの間、ＲＦＩＤラベル３（ＲＦＩＤラベル連続体１）の移送速度を制御することにより、適正なデータ送受信すなわちデータ書込みあるいは読取りを可能とする。
【００３１】
つぎに図３は、ＲＦＩＤデータ書込み読取り部２１ないしカセット取付け部２２部分の変形例を示す概略拡大断面図であって、ＲＦＩＤデータ書込み読取り部２１の種類により、ＲＦＩＤデータ書込み読取り部２１をカセット取付け部２２にぴったり装填することが困難な場合には、アダプター２３を設け、このアダプター２３を介してＲＦＩＤデータ書込み読取り部２１をカセット取付け部２２に電気的および機械的に着脱可能に取り付けることができる。
【００３２】
図４は、本発明の第２の実施例によるＲＦＩＤラベル用プリンター３０（ＲＦＩＤ印字用紙用プリンター）の概略側面図であって、ＲＦＩＤラベル用プリンター３０においては、ＲＦＩＤデータ書込み読取り部２１を取り付けるためのカセット取付け部２２をラベル移送路１０において印字部１３の下流側に設けてある。
もちろん、このＲＦＩＤラベル用プリンター３０においても、図２および図３に示したような制御および構成を採用することができる。
【００３３】
こうした構成のＲＦＩＤラベル用プリンター３０において、ＲＦＩＤラベル用プリンター２０（図１）と同様に、ＲＦＩＤラベル３の種類ないしタイプに応じてＲＦＩＤデータ書込み読取り部２１をカセット式に適宜交換することが可能であり、一台のＲＦＩＤラベル用プリンター３０で複数種類のＲＦＩＤラベル３に対応してデータ書込みあるいは読取り、および印字処理を行うことができる。
【００３４】
なお、このＲＦＩＤラベル用プリンター３０では、印字部１３の下流側にＲＦＩＤデータ書込み読取り部２１を設けてあるので、ＲＦＩＤデータ書込み読取り部２１の入替え作業自体が容易であり、設計ないしはユニットのオプションの自由度を多く取ることができる。
【図面の簡単な説明】
【００３５】
【図１】本発明の第１の実施例によるＲＦＩＤラベル用プリンター２０（ＲＦＩＤ印字用紙用プリンター）の概略側面図である。
【図２】同、ＲＦＩＤデータ書込み読取り部２１部分の概略拡大断面図である。
【図３】同、ＲＦＩＤデータ書込み読取り部２１ないしカセット取付け部２２部分の変形例を示す概略拡大断面図である。
【図４】本発明の第２の実施例によるＲＦＩＤラベル用プリンター３０（ＲＦＩＤ印字用紙用プリンター）の概略側面図である。
【図５】従来のＲＦＩＤラベル連続体１（ＲＦＩＤ印字用紙連続体）を示す平面図である。
【図６】従来のＲＦＩＤラベル用プリンター８（ＲＦＩＤ印字用紙用プリンター）の概略側面図である。
【符号の説明】
【００３６】
１  ＲＦＩＤラベル連続体（ＲＦＩＤ印字用紙連続体）
２  台紙
３  ＲＦＩＤラベル（ＲＦＩＤ印字用紙）
４  ラベル本体
５  ＩＣチップ
６  アンテナ
７  位置検出用マーク
８  ＲＦＩＤラベル用プリンター（ＲＦＩＤ印字用紙用プリンター）
９  ラベル供給部（印字用紙供給部）
１０  ラベル移送路（印字用紙移送路）
１１  ラベル位置検出部（印字用紙位置検出部）
１２  ＲＦＩＤデータ書込み読取り部
１３  印字部
１４  制御部
１５  コントローラー
１６  アンテナ
１７  サーマルヘッド
１８  プラテンローラー
２０  ＲＦＩＤラベル用プリンター（ＲＦＩＤ印字用紙用プリンター、第１の実施例、図１）
２１  カセット式のＲＦＩＤデータ書込み読取り部
２２  カセット取付け部
２３  アダプター（図３）
３０  ＲＦＩＤラベル用プリンター（ＲＦＩＤ印字用紙用プリンター、第２の実施例、図４）
Ｍ    交信領域（図２）
【図１】
2005141098.tif 000003
【図２】
2005141098.tif 000004
【図３】
2005141098.tif 000005
【図４】
2005141098.tif 000006
【図５】
2005141098.tif 000007
【図６】
2005141098.tif 000008